(57)【特許請求の範囲】
【請求項１】
顧客の購入対象の商品を登録する商品登録部と、
表示部と、
前記商品の登録データに基づいて精算する精算装置を示す情報を前記表示部に表示させるとともに、前記表示部に表示された前記情報に対する操作による前記精算装置の指定を受け付ける指定部と、
前記指定部によって指定された前記精算装置から、所定の状態を示すステータス情報を取得する情報取得部と、
前記情報取得部が取得した前記ステータス情報に応じた警告情報を、前記情報に対応付けて前記表示部に表示させる表示制御部と、
前記表示部に表示された前記警告情報に対する操作による前記警告情報を受け付ける警告情報受付部と、
前記警告情報受付部が前記警告情報を受け付けた後、前記商品登録部が登録した商品の登録データを送信させるための送信ボタンと、前記商品の登録データに基づいて精算する精算装置を示す情報を前記表示部に表示させる処理に戻るための戻るボタンとを前記表示部に併せて表示させるとともに、前記表示部に表示された前記送信ボタンに対する操作を受け付けた場合、前記登録データを前記指定部により指定された前記精算装置に送信し、前記表示部に表示された前記戻るボタンに対する操作を受け付けた場合、前記指定部に対して前記商品の登録データに基づいて精算する精算装置を示す情報を前記表示部に表示させる送信制御部と、
を備える商品登録装置と、
前記商品の登録データに基づいて精算する精算装置と、
を含むことを特徴とするＰＯＳシステム。
【請求項２】
前記精算装置に対して前記商品の登録データを送信するためのボタンは、各精算装置を示すボタンである
ことを特徴とする請求項１に記載のＰＯＳシステム。
【請求項３】
前記表示部に表示させる前記警告情報は、どの金種が不足またはニアフルであるかを示す情報を含む
ことを特徴とする請求項１または請求項２に記載のＰＯＳシステム。
【請求項４】
前記商品登録部が商品の登録を開始する前に、前記情報取得部が前記ステータス情報を取得した場合であって、前記警告情報受付部が前記警告情報の指定を受け付けた後、貨幣を出金または入金させることを示す指示情報を出力する出力部
を更に備えることを特徴とする請求項１から請求項３のいずれか１項に記載のＰＯＳシステム。
【請求項５】
顧客の購入対象の商品を登録する商品登録部と、
表示部と、
前記商品の登録データに基づいて精算する精算装置を示す情報を前記表示部に表示させるとともに、前記表示部に表示された前記情報に対する操作による前記精算装置の指定を受け付ける指定部と、
前記指定部によって指定された前記精算装置から、所定の状態を示すステータス情報を取得する情報取得部と、
前記情報取得部が取得した前記ステータス情報に応じた警告情報を、前記情報に対応付けて前記表示部に表示させる表示制御部と、
前記表示部に表示された前記警告情報に対する操作による前記警告情報を受け付ける警告情報受付部と、
前記警告情報受付部が前記警告情報を受け付けた後、前記商品登録部が登録した商品の登録データを送信させるための送信ボタンと、前記商品の登録データに基づいて精算する精算装置を示す情報を前記表示部に表示させる処理に戻るための戻るボタンとを前記表示部に併せて表示させるとともに、前記表示部に表示された前記送信ボタンに対する操作を受け付けた場合、前記登録データを前記指定部により指定された前記精算装置に送信し、前記表示部に表示された前記戻るボタンに対する操作を受け付けた場合、前記指定部に対して前記商品の登録データに基づいて精算する精算装置を示す情報を前記表示部に表示させる送信制御部と、
を備えることを特徴とする商品登録装置。
【請求項６】
登録装置と、複数の精算装置とを有するＰＯＳシステムにおける前記登録装置のコンピュータを、
顧客の購入対象の商品を登録する商品登録手段と、
表示手段と、
前記商品の登録データに基づいて精算する精算装置を示す情報を前記表示部に表示させるとともに、前記表示部に表示された前記情報に対する操作による前記精算装置の指定を受け付ける指定手段と、
前記指定手段によって指定された前記精算装置から、所定の状態を示すステータス情報を取得する情報取得手段と、
前記情報取得手段が取得した前記ステータス情報に応じた警告情報を、前記情報に対応付けて前記表示手段に表示させる表示制御手段と、
前記表示手段に表示された前記警告情報に対する操作による前記警告情報を受け付ける警告情報受付手段と、
前記警告情報受付手段が前記警告情報を受け付けた後、前記商品登録手段が登録した商品の登録データを送信させるための送信ボタンと、前記商品の登録データに基づいて精算する精算装置を示す情報を前記表示手段に表示させる処理に戻るための戻るボタンとを前記表示手段に併せて表示させるとともに、前記表示手段に表示された前記送信ボタンに対する操作を受け付けた場合、前記登録データを前記指定手段により指定された前記精算装置に送信し、前記表示手段に表示された前記戻るボタンに対する操作を受け付けた場合、前記指定手段に対して前記商品の登録データに基づいて精算する精算装置を示す情報を前記表示手段に表示させる送信制御手段と、
して機能させるためのプログラム。
【請求項７】
登録装置のコンピュータを、
顧客の購入対象の商品を登録する商品登録手段と、
表示手段と、
前記商品の登録データに基づいて精算する精算装置を示す情報を前記表示部に表示させるとともに、前記表示部に表示された前記情報に対する操作による前記精算装置の指定を受け付ける指定手段と、
前記指定手段によって指定された前記精算装置から、所定の状態を示すステータス情報を取得する情報取得手段と、
前記情報取得手段が取得した前記ステータス情報に応じた警告情報を、前記情報に対応付けて前記表示手段に表示させる表示制御手段と、
前記表示手段に表示された前記警告情報に対する操作による前記警告情報を受け付ける警告情報受付手段と、
前記警告情報受付手段が前記警告情報を受け付けた後、前記商品登録手段が登録した商品の登録データを送信させるための送信ボタンと、前記商品の登録データに基づいて精算する精算装置を示す情報を前記表示手段に表示させる処理に戻るための戻るボタンとを前記表示手段に併せて表示させるとともに、前記表示手段に表示された前記送信ボタンに対する操作を受け付けた場合、前記登録データを前記指定手段により指定された前記精算装置に送信し、前記表示手段に表示された前記戻るボタンに対する操作を受け付けた場合、前記指定手段に対して前記商品の登録データに基づいて精算する精算装置を示す情報を前記表示手段に表示させる送信制御手段と、
して機能させるためのプログラム。
【発明の詳細な説明】
【技術分野】
【０００１】
本発明は、ＰＯＳシステム、商品登録装置およびプログラムに関する。
【背景技術】
【０００２】
各セルフチェックアウト端末で発生している事象、稼働状況、商品販売データ処理の内容等を取得して表示することにより、各セルフチェックアウト端末で発生している状況を案内係（店員）に知らせるアテンダント端末が知られている（例えば、特許文献１参照）。
【先行技術文献】
【特許文献】
【０００３】
【特許文献１】特開２０１２−１４７４０号公報
【発明の概要】
【発明が解決しようとする課題】
【０００４】
精算装置であるセルフチェックアウト端末の各種状態を把握しこの状態に応じて対処するためには、店員がアテンダント端末を常に監視する必要がある。しかしながら、実際、店員がアテンダント端末の監視につかないこともあり、そのような場合には、店舗は、セルフチェックアウト端末の状態を把握することができず、その状態に応じた適切な対処を行うことができない。
本発明は、上記事情を考慮してなされたものであり、精算装置の状態を、商品登録を行う登録者に適切に知らせることができるＰＯＳシステム、商品登録装置およびプログラムを提供することを目的とする。
【課題を解決するための手段】
【０００５】
本発明の一態様は、顧客の購入対象の商品を登録する商品登録部と、表示部と、前記商品の登録データに基づいて精算する精算装置を示す情報を前記表示部に表示させるとともに、前記表示部に表示された前記情報に対する操作による前記精算装置の指定を受け付ける指定部と、前記指定部によって指定された前記精算装置から、所定の状態を示すステータス情報を取得する情報取得部と、前記情報取得部が取得した前記ステータス情報に応じた警告情報を、前記情報に対応付けて前記表示部に表示させる表示制御部と、前記表示部に表示された前記警告情報に対する操作による前記警告情報を受け付ける警告情報受付部と、前記警告情報受付部が前記警告情報を受け付けた後、前記商品登録部が登録した商品の登録データを送信させるための送信ボタンと、前記商品の登録データに基づいて精算する精算装置を示す情報を前記表示部に表示させる処理に戻るための戻るボタンとを前記表示部に併せて表示させるとともに、前記表示部に表示された前記送信ボタンに対する操作を受け付けた場合、前記登録データを前記指定部により指定された前記精算装置に送信し、前記表示部に表示された前記戻るボタンに対する操作を受け付けた場合、前記指定部に対して前記商品の登録データに基づいて精算する精算装置を示す情報を前記表示部に表示させる送信制御部と、を備える商品登録装置と、前記商品の登録データに基づいて精算する精算装置と、を含むことを特徴とするＰＯＳシステムである。
また、本発明の他の態様のＰＯＳシステムにおいて、前記精算装置に対して前記商品の登録データを送信するためのボタンは、各精算装置を示すボタンであることを特徴とする。
また、本発明の他の態様のＰＯＳシステムにおいて、前記表示部に表示させる前記警告情報は、どの金種が不足またはニアフルであるかを示す情報を含むことを特徴とする。
また、本発明の他の態様は、前記商品登録部が商品の登録を開始する前に、前記情報取得部が前記ステータス情報を取得した場合であって、前記警告情報受付部が前記警告情報の指定を受け付けた後、貨幣を出金または入金させることを示す指示情報を出力する出力部を更に備えることを特徴とするＰＯＳシステムである。
また、本発明の他の態様は、顧客の購入対象の商品を登録する商品登録部と、表示部と、前記商品の登録データに基づいて精算する精算装置を示す情報を前記表示部に表示させるとともに、前記表示部に表示された前記情報に対する操作による前記精算装置の指定を受け付ける指定部と、前記指定部によって指定された前記精算装置から、所定の状態を示すステータス情報を取得する情報取得部と、前記情報取得部が取得した前記ステータス情報に応じた警告情報を、前記情報に対応付けて前記表示部に表示させる表示制御部と、前記表示部に表示された前記警告情報に対する操作による前記警告情報を受け付ける警告情報受付部と、前記警告情報受付部が前記警告情報を受け付けた後、前記商品登録部が登録した商品の登録データを送信させるための送信ボタンと、前記商品の登録データに基づいて精算する精算装置を示す情報を前記表示部に表示させる処理に戻るための戻るボタンとを前記表示部に併せて表示させるとともに、前記表示部に表示された前記送信ボタンに対する操作を受け付けた場合、前記登録データを前記指定部により指定された前記精算装置に送信し、前記表示部に表示された前記戻るボタンに対する操作を受け付けた場合、前記指定部に対して前記商品の登録データに基づいて精算する精算装置を示す情報を前記表示部に表示させる送信制御部と、を備えることを特徴とする商品登録装置である。
また、本発明の他の態様は、登録装置と、複数の精算装置とを有するＰＯＳシステムにおける前記登録装置のコンピュータを、顧客の購入対象の商品を登録する商品登録手段と、表示手段と、前記商品の登録データに基づいて精算する精算装置を示す情報を前記表示部に表示させるとともに、前記表示部に表示された前記情報に対する操作による前記精算装置の指定を受け付ける指定手段と、前記指定手段によって指定された前記精算装置から、所定の状態を示すステータス情報を取得する情報取得手段と、前記情報取得手段が取得した前記ステータス情報に応じた警告情報を、前記情報に対応付けて前記表示手段に表示させる表示制御手段と、前記表示手段に表示された前記警告情報に対する操作による前記警告情報を受け付ける警告情報受付手段と、前記警告情報受付手段が前記警告情報を受け付けた後、前記商品登録手段が登録した商品の登録データを送信させるための送信ボタンと、前記商品の登録データに基づいて精算する精算装置を示す情報を前記表示手段に表示させる処理に戻るための戻るボタンとを前記表示手段に併せて表示させるとともに、前記表示手段に表示された前記送信ボタンに対する操作を受け付けた場合、前記登録データを前記指定手段により指定された前記精算装置に送信し、前記表示手段に表示された前記戻るボタンに対する操作を受け付けた場合、前記指定手段に対して前記商品の登録データに基づいて精算する精算装置を示す情報を前記表示手段に表示させる送信制御手段と、して機能させるためのプログラムである。
また、本発明の他の態様は、登録装置のコンピュータを、顧客の購入対象の商品を登録する商品登録手段と、表示手段と、前記商品の登録データに基づいて精算する精算装置を示す情報を前記表示部に表示させるとともに、前記表示部に表示された前記情報に対する操作による前記精算装置の指定を受け付ける指定手段と、前記指定手段によって指定された前記精算装置から、所定の状態を示すステータス情報を取得する情報取得手段と、前記情報取得手段が取得した前記ステータス情報に応じた警告情報を、前記情報に対応付けて前記表示手段に表示させる表示制御手段と、前記表示手段に表示された前記警告情報に対する操作による前記警告情報を受け付ける警告情報受付手段と、前記警告情報受付手段が前記警告情報を受け付けた後、前記商品登録手段が登録した商品の登録データを送信させるための送信ボタンと、前記商品の登録データに基づいて精算する精算装置を示す情報を前記表示手段に表示させる処理に戻るための戻るボタンとを前記表示手段に併せて表示させるとともに、前記表示手段に表示された前記送信ボタンに対する操作を受け付けた場合、前記登録データを前記指定手段により指定された前記精算装置に送信し、前記表示手段に表示された前記戻るボタンに対する操作を受け付けた場合、前記指定手段に対して前記商品の登録データに基づいて精算する精算装置を示す情報を前記表示手段に表示させる送信制御手段と、して機能させるためのプログラムである。
［１］上記の課題を解決するため、本発明の一態様である商品登録装置は、顧客の購入対象の商品を登録する商品登録部と、表示部と、前記商品の登録データに基づいて精算する精算装置を示す情報を前記表示部に表示させるとともに、前記表示部に表示された前記情報に対する操作による前記精算装置の指定を受け付ける指定部と、前記指定部によって指定された前記精算装置から、所定の状態を示すステータス情報を取得する情報取得部と、前記情報取得部が取得した前記ステータス情報に応じた警告情報を、前記情報に対応付けて前記表示部に表示させる表示制御部と、を備える。
【０００６】
［２］上記［１］記載の商品登録装置において、前記表示部に表示された前記警告情報に対する操作による前記警告情報を受け付ける警告情報受付部、を更に備え、前記表示制御部は、前記警告情報受付部が受け付けた前記警告情報に関する関連情報を前記表示部に表示させる。
［３］上記［２］記載の商品登録装置において、前記警告情報受付部が前記警告情報を受け付けた後、前記商品登録部が登録した商品の登録データを送信させるための送信ボタンを前記表示部に表示させるとともに、前記表示部に表示された前記送信ボタンに対する操作により、前記登録データを前記指定部により指定された前記精算装置に送信する送信制御部、を更に備える。
［４］上記［３］記載の商品登録装置において、前記送信制御部は、一取引として登録された商品の登録データが確定された画面に送信ボタンを表示させる。
［５］上記［３］または［４］いずれか記載の商品登録装置において、前記警告情報受付部が受け付けた前記警告情報が貨幣のエンドもしくは貨幣のフル、またはレシートのエンドを示す場合、前記送信制御部は、前記登録データの送信の動作を禁止する。
［６］上記［２］記載の商品登録装置において、前記商品登録部が商品の登録を開始する前に、前記情報取得部が前記ステータス情報を取得した場合であって、前記警告情報受付部が前記警告情報の指定を受け付けた後、貨幣を出金または入金させることを示す指示情報を出力する出力部、を更に備える。
［７］上記［１］から［６］いずれか一項記載の商品登録装置において、前記表示制御部は、前記ステータス情報および警告情報またはいずれかを、前記精算装置を示す情報の周囲または一部を重ねて前記表示部に表示させる。
【０００７】
［８］上記の課題を解決するため、本発明の一態様であるＰＯＳシステムは、上記［１］から［７］いずれか一項記載の商品登録装置と、前記商品の登録データに基づいて精算する精算装置と、を含む。
【発明の効果】
【０００８】
本発明によれば、精算装置の状態を、商品登録を行う登録者に適切に知らせることができる。
【図面の簡単な説明】
【０００９】
【図１】本実施形態によるＰＯＳシステムの全体構成の例を示すブロック図である。
【図２】登録用ＰＯＳレジスタの構成の例を示すブロック図である。
【図３】精算用ＰＯＳレジスタの構成の例を示すブロック図である。
【図４】精算用ＰＯＳレジスタと登録用ＰＯＳレジスタとの間のステータス情報の送受信の手順の例を示すフローチャートである。
【図５】登録用ＰＯＳレジスタが買上商品の登録の開始前に、精算装置ボタンが押下された場合の処理手順の例を示したフローチャートである。
【図６】登録用ＰＯＳレジスタが買上商品の登録の開始後に、精算装置ボタンが押下された場合の処理手順の例を示したフローチャートである。
【図７】登録用ＰＯＳレジスタの店員用表示部のステータス情報および警告情報の表示の例を示した図である。
【図８】精算用ＰＯＳレジスタのＲＡＭまたはＲＯＭが記憶する貨幣設定枚数テーブルのデータ構成の例を示す図である。
【図９】精算用ＰＯＳレジスタのＲＡＭが記憶する現保有枚数テーブルのデータ構成の例を示す図である。
【図１０】登録用ＰＯＳレジスタの商品登録部が商品の登録を開始する前に、情報取得部が釣銭の状態を示すステータス情報を取得した場合であって、警告情報受付部が警告情報の指定を受け付けた後、店員用表示部に確認ボタンを表示させた例を示す図である。
【図１１】釣銭ニアエンド時に補充金の取得先を選択するための、補充金の取得先選択メニュー（選択画面）の例である。
【図１２】貨幣の移動の状況等を確認するための確認画面の一例である。
【図１３】操作者の認証について説明するための図である。
【図１４】指示レシートの一例である。
【図１５】登録用ＰＯＳレジスタの商品登録部が商品の登録を開始した後に、情報取得部が釣銭の状態を示すステータス情報を取得した場合であって、警告情報受付部が警告情報の指定を受け付けた後、店員用表示部に送信ボタンを表示させた例を示す図である。
【図１６】登録用ＰＯＳレジスタの商品登録部が商品の登録を開始する前に、情報取得部が釣銭の状態を示すステータス情報を取得した場合であって、警告情報受付部が警告情報の指定を受け付けた後、店員用表示部に確認ボタンを表示させた例を示す図である。
【図１７】釣銭ニアフル時に放出（出金）した貨幣の入金先を選択するための選択画面の一例である。
【図１８】登録用ＰＯＳレジスタの商品登録部が商品の登録を開始した後に、情報取得部が釣銭の状態を示すステータス情報を取得した場合であって、警告情報受付部が警告情報の指定を受け付けた後、店員用表示部に送信ボタンを表示させた例を示す図である。
【図１９】警告情報の表示の別の例を示す図である。
【図２０】警告情報の表示の別の例を示す図である。
【図２１】警告情報の表示の別の例を示す図である。
【図２２】警告情報の表示の別の例を示す図である。
【図２３】精算装置ボタン、ステータス情報、および警告情報の店員用表示部の表示例である。
【発明を実施するための形態】
【００１０】
以下、本発明を実施するための形態について、図面を参照して詳細に説明する。
図１は、本実施形態によるＰＯＳ（Ｐｏｉｎｔ  Ｏｆ  Ｓａｌｅｓ）システムの全体構成の例を示すブロック図である。図１に示すように、ＰＯＳシステム１は、登録用ＰＯＳレジスタ１０と、精算用ＰＯＳレジスタ２０−１〜２０−ｎと、ストアコントローラ４０と、ネットワーク５０とを含む。
登録用ＰＯＳレジスタ１０と、精算用ＰＯＳレジスタ２０−１〜２０−ｎと、ストアコントローラ４０とは、ネットワーク５０を介して接続されている。
【００１１】
以下の説明において、精算用ＰＯＳレジスタ２０−１〜２０−ｎそれぞれを区別しない場合は、精算用ＰＯＳレジスタ２０−１〜２０−ｎそれぞれを、精算用ＰＯＳレジスタ２０と記載する場合がある。
【００１２】
なお、例えば、ＰＯＳシステム１において、登録用ＰＯＳレジスタ１０を複数設けてもよい。また、精算用ＰＯＳレジスタ２０は１台でもよいし、複数台でもよい。また、ストアコントローラ４０および登録用ＰＯＳレジスタ１０、またはストアコントローラ４０および精算用ＰＯＳレジスタ２０は、必ずしもネットワーク５０を介して接続する必要はない。ネットワーク５０を介さない通信接続の例として、電気配線を活用して高速通信を実現する電力線通信接続がある。また、ストアコントローラ４０の機能を、登録用ＰＯＳレジスタ１０により実現させ、ストアコントローラ４０を省略する構成としてもよい。
【００１３】
ストアコントローラ４０は、ＰＯＳシステム１を制御するコンピュータ装置であり、商品マスタ情報等の種々の情報を記憶し管理する。商品マスタ情報は、販売される各商品の、商品識別情報（商品コード）、商品名称、販売価格、値引き価格等の商品情報を含む電子ファイルである。ストアコントローラ４０は、商品が追加された場合、販売価格や値引き価格が改定された場合等において、商品マスタ情報を適宜更新する。そして、ストアコントローラ４０は、定期的、定時、または、商品マスタ情報が更新されるたびに、登録用ＰＯＳレジスタ１０および精算用ＰＯＳレジスタ２０−１〜２０−ｎに、最新の商品マスタ情報を送信する。
【００１４】
登録用ＰＯＳレジスタ１０は、顧客が購入しようとする商品のデータを登録する商品登録処理を実行する商品登録装置である。よって、登録用ＰＯＳレジスタ１０は、顧客の購入対象の商品（買上商品ともいう。）を登録する商品登録部を備える。具体的に、登録用ＰＯＳレジスタ１０は、オペレータである店員の操作によって、買上商品に付されたバーコードを読み取るスキャナを備える。買上商品に付されたバーコードには、商品コードの情報が含まれている。つまり、登録用ＰＯＳレジスタ１０は、商品に付されたバーコードを読み取ることにより、この商品のデータを登録する。本実施形態において、登録用ＰＯＳレジスタ１０によって登録され、精算用ＰＯＳレジスタ２０によって精算処理に用いられる商品に関するデータを、登録データと呼ぶ。例えば、登録データは、一顧客の取引についての全ての買上商品の金額（合計金額）、各買上商品の価格、個数の情報等を含む。
【００１５】
なお、登録データは、一顧客の取引についての全ての買上げ商品の金額（合計金額）、各買上商品の価格、個数の情報等を識別する取引識別情報であってもよい。この場合、例えば、精算用ＰＯＳレジスタ２０は、その取引識別情報に基づいて、ストアコントローラ４０、またはストアコントローラ４０の機能を実現する登録用ＰＯＳレジスタ１０にリクエスト情報を送信する。そして、精算用ＰＯＳレジスタ２０は、リクエスト情報を受信したストアコントローラ４０または登録用ＰＯＳレジスタ１０から、一顧客の取引についての全ての買上げ商品の金額（合計金額）、各買上商品の価格、個数の情報等を取得する。
【００１６】
また、登録用ＰＯＳレジスタ１０は、精算用ＰＯＳレジスタ２０−１〜２０−ｎから各種のステータス情報を受信して管理する。ステータス情報の種類として、例えば、装置の状態に関するステータス情報、釣銭の状態に関するステータス情報がある。
【００１７】
（装置の状態に関するステータス情報の管理）
登録用ＰＯＳレジスタ１０は、精算用ＰＯＳレジスタ２０−１〜２０−ｎから受信した装置の状態に関するステータス情報に応じて、登録データの送信先となる１台の精算用ＰＯＳレジスタ２０を選択する。その際、登録用ＰＯＳレジスタ１０は、装置の状態に関するステータス情報に基づいて、できるだけ待ち時間を少なくできるように、現在商品登録作業中の顧客がどの精算用ＰＯＳレジスタ２０で精算を行えばよいのかを判定する。すなわち、登録用ＰＯＳレジスタ１０は、精算用ＰＯＳレジスタ２０−１〜２０−ｎから精算処理に関して最適な１台の精算用ＰＯＳレジスタ２０を選択する。例えば、登録用ＰＯＳレジスタ１０は、空いている（後述する待機状態である）１台の精算用ＰＯＳレジスタ２０を選択する。または、全ての精算用ＰＯＳレジスタ２０−１〜２０−ｎが使用中である場合には、登録用ＰＯＳレジスタ１０は、一番早く空きそうな精算用ＰＯＳレジスタ２０を選択する。そして、登録用ＰＯＳレジスタ１０は、選択した１台の精算用ＰＯＳレジスタ２０に対して、登録データを送信する。この登録データが示す商品を購入しようとする顧客は、当該登録データを受信した精算用ＰＯＳレジスタ２０を操作して、自身で精算の処理を行うことができる。精算の処理とは、買上商品の代金を、現金、電子マネー、クレジットカード等を用いて支払いまたは決済する処理である。
【００１８】
精算用ＰＯＳレジスタ２０の装置の状態として、例えば、待機状態、使用状態、レシート発行状態、精算用レシートを読み込んでから一定時間経過後の警告状態、店員呼出状態、休止状態、メンテナンス状態等がある。待機状態は、精算用ＰＯＳレジスタ２０が精算処理を待ち受けている状態、つまり、精算用ＰＯＳレジスタ２０が使用可能な状態である。使用状態は、精算用ＰＯＳレジスタ２０が精算処理を実行している状態である。よって、決済中は、精算用ＰＯＳレジスタ２０が使用状態である。レシート発行状態は、精算用ＰＯＳレジスタ２０が精算後の会計レシートを発行している状態である。精算用レシートを読み込んでから一定時間経過後の警告状態は、顧客が精算用レシートをスキャナに読み込ませてから所定の時間が経過しても、精算処理が開始されずに警告が発せられている状態である。店員呼出状態は、店員呼出ボタンが押下されることにより、精算用ＰＯＳレジスタ２０がストアコントローラ４０に店員呼出要求情報を送信している状態、または、サインポールを点灯または点滅させている状態である。休止状態は、精算用ＰＯＳレジスタ２０が処理を休止している状態である。メンテナンス状態は、精算用ＰＯＳレジスタ２０がメンテナンスモード（保守作業モード）になっている状態である。
【００１９】
精算用ＰＯＳレジスタ２０の装置の状態に基づき、登録用ＰＯＳレジスタ１０は、どの精算用ＰＯＳレジスタ２０を選択するのかという判定処理を行う。例えば、登録用ＰＯＳレジスタ１０は、待機状態である精算用ＰＯＳレジスタ２０から優先して選択する。また、待機状態である精算用ＰＯＳレジスタ２０が無ければ、レシート発行状態である精算用ＰＯＳレジスタ２０を選択する。上記の待機状態、使用状態、およびレシート発行状態の三つの状態は、精算処理における段階（ステップ）を示すものであり、待機状態から使用状態、使用状態からレシート発行状態へと装置の状態は変化する。よって、使用状態よりもレシート発行状態の方が進捗は進んでいることになる。よって、例えば、登録用ＰＯＳレジスタ１０は、待機状態の精算用ＰＯＳレジスタ２０が無い場合にはレシート発行中の精算用ＰＯＳレジスタ２０を選択することにより、早く空きそうな精算用ＰＯＳレジスタ２０を選択することができる。
【００２０】
登録用ＰＯＳレジスタ１０は、上記のようにして選択した精算用ＰＯＳレジスタ２０へ登録データを送信する際に、次のような表示処理を行う。例えば、登録用ＰＯＳレジスタ１０は、精算用ＰＯＳレジスタ２０−１〜２０−ｎから受信したステータス情報を、登録用ＰＯＳレジスタ１０が備える店員用表示部（例えば、タッチパネル付の表示部）に表示させる。店員用表示部は、表示面を店員に向けて設置された表示装置である。登録用ＰＯＳレジスタ１０は、登録データを送信する際に限らず、登録処理中や空き時間において、常時、または随時更新して、ステータス情報を店員用表示部に表示させてもよい。さらに、登録用ＰＯＳレジスタ１０は、登録データを送信した際には、どの精算用ＰＯＳレジスタ２０へ登録データを送信したかを、店員用表示部および顧客用表示部または店員用表示部のみに表示させる。顧客用表示部は、表示面を顧客に向けて設置された表示装置である。この場合、店員は、店員用表示部を見ることにより、顧客に対し、精算用ＰＯＳレジスタ２０の指定を口頭で伝えることができる。また、顧客用表示部にも表示される場合には、顧客はこの表示を見ることにより、どの精算用ＰＯＳレジスタ２０に行けばよいかを知ることができる。
【００２１】
この場合の表示方法は任意である。例えば、登録用ＰＯＳレジスタ１０は、店員用表示部に、精算用ＰＯＳレジスタ２０−１〜２０−ｎのステータス情報を表示させるとともに、登録データを送信した精算用ＰＯＳレジスタ２０に対応するステータス情報を強調表示させる。また、例えば、登録用ＰＯＳレジスタ１０は、顧客用表示部に、登録データの送信先の精算用ＰＯＳレジスタ２０を示す案内情報を表示させる。
なお、登録用ＰＯＳレジスタ１０は、該当する精算用ＰＯＳレジスタ２０を案内する情報を印刷した精算用レシート（例えば、該当する精算用ＰＯＳレジスタ２０の番号が印字された番号札レシート）を発行してもよい。この場合、店員は、その発行された精算用レシートを顧客に手渡しする。
【００２２】
なお、精算用ＰＯＳレジスタ２０の選択は、登録用ＰＯＳレジスタ１０のオペレータである店員が手動で行ってもよい。例えば、店員用表示部に表示された、精算用ＰＯＳレジスタ２０を示す画像情報であるＧＵＩ（Ｇｒａｐｈｉｃａｌ  Ｕｓｅｒ  Ｉｎｔｅｒｆａｃｅ）ボタン（精算装置ボタンともいう。）の近傍のステータス情報を店員が見て判断し、そのＧＵＩボタンを押下することで、その精算用ＰＯＳレジスタ２０を選択する。つまり、登録用ＰＯＳレジスタ１０は、商品の登録データに基づいて精算する精算用ＰＯＳレジスタ２０を示す精算装置ボタンを店員用表示部に表示させるとともに、その精算装置ボタンに対する操作による当該精算用ＰＯＳレジスタ２０の指定を受け付ける指定部を備える。つまり、ＧＵＩボタンである精算装置ボタンが指定部である。
また、店員による判断を助けるために、ステータス情報の表示において、空いている（または空きそうな）精算用ＰＯＳレジスタ２０の精算装置ボタンを強調表示させてもよい。
【００２３】
また、登録用ＰＯＳレジスタ１０は、一顧客についての全ての買上げ商品の買上内容を精算用レシートに印刷して出力してもよい。この場合、顧客は、精算用ＰＯＳレジスタ２０を操作して精算処理を行う前に、登録用ＰＯＳレジスタ１０による登録の内容を、精算用レシートの印刷結果を見ることで確認することができる。
【００２４】
本実施形態の以下の説明において、登録用ＰＯＳレジスタ１０が選択可能な精算用ＰＯＳレジスタとして、精算用ＰＯＳレジスタ２０−１（以下、精算用ＰＯＳレジスタ２０と記載する。）を例とする。
【００２５】
（釣銭の状態に関するステータス情報の管理）
登録用ＰＯＳレジスタ１０は、精算用ＰＯＳレジスタ２０−１〜２０−ｎから受信した釣銭の状態に関するステータス情報を精算用ＰＯＳレジスタ２０ごとに記憶し管理する。
【００２６】
例えば、釣銭の状態として、金種ごと（例えば、１円、５円、１０円、５０円、１００円、５００円、１０００円、５０００円それぞれ）の釣銭ニアエンドおよび釣銭エンド（貨幣のエンド）がある。釣銭ニアエンドは、精算用ＰＯＳレジスタ２０の自動釣銭釣札機の貨幣の保有枚数が所定の下限枚数以下となった状態である。釣銭エンドは、精算用ＰＯＳレジスタ２０の自動釣銭釣札機の貨幣の現保有枚数がゼロになった状態である。
【００２７】
登録用ＰＯＳレジスタ１０は、指定部によって指定された精算用ＰＯＳレジスタ２０から、装置の状態を示すステータス情報と、釣銭の状態を示すステータス情報とを取得する情報取得部を備える。なお、情報取得部は、指定された精算用ＰＯＳレジスタ２０から、装置の状態および釣銭の状態を示すステータス情報を取得してもよい。
【００２８】
また、登録用ＰＯＳレジスタ１０は、情報取得部が取得した釣銭の状態を示すステータス情報に応じた警告情報を、精算用ＰＯＳレジスタ２０のＧＵＩボタンである精算装置ボタンに対応付けて店員用表示部に表示させる表示制御部を備える。例えば、警告情報は、装置の状態を示すステータス情報の背景色（バックグラウンド色）である。具体的に、例えば、情報取得部が釣銭ニアエンドを示すステータス情報も、釣銭エンドを示すステータス情報も取得していない場合、表示制御部は、装置の状態を示すステータス情報を「黄色」の背景色により店員用表示部に表示させる。そして、例えば、情報取得部が釣銭ニアエンドを示すステータス情報を取得した場合、表示制御部は、装置の状態を示すステータス情報を「橙色」の背景色により店員用表示部に表示させる。また、例えば、情報取得部が釣銭エンドを示すステータス情報を取得した場合、表示制御部は、装置の状態を示すステータス情報を「赤色」の背景色により店員用表示部に表示させる。
【００２９】
また、登録用ＰＯＳレジスタ１０は、店員用表示部に表示された警告情報に対する操作による警告情報を受け付ける警告情報受付部を備えてもよい。具体的に、例えば、釣銭ニアエンドを示す橙色の背景色によるステータス情報、および釣銭エンドを示す赤色の背景色によるステータス情報を、ＧＵＩボタンとしてもよい。この場合、表示制御部は、警告情報受付部によって指定された警告情報に関する関連情報を店員用表示部に表示させる。例えば、関連情報は、釣銭の状態の詳細情報である。具体的に、ステータス情報の背景色が橙色である場合、つまり釣銭ニアエンドである場合、関連情報は、精算用ＰＯＳレジスタ２０を特定する情報と、釣銭ニアエンドとなっている金種の情報とを含む。また、ステータス情報の背景色が赤色である場合、つまり釣銭エンドである場合、関連情報は、精算用ＰＯＳレジスタ２０を特定する情報と、釣銭エンドとなっている金種の情報とを含む。
【００３０】
また、登録用ＰＯＳレジスタ１０は、警告情報受付部が警告情報の指定を受け付けた後、商品登録部が登録した商品の登録データを送信させるためのＧＵＩボタンである送信ボタンを店員用表示部に表示させるとともに、その送信ボタンに対する操作により、登録データを指定部により指定された精算用ＰＯＳレジスタ２０に送信する送信制御部を備えてもよい。
【００３１】
ここで、例えば、警告情報受付部が受け付けた警告情報が釣銭エンドを示す場合、送信制御部は、登録データの送信の動作を禁止するようにしてもよい。送信制御部による登録データの送信の動作の禁止の具体例として、送信ボタンを非表示にしたり、送信ボタンのタッチ（押下）を受け付けなくしたりする。
【００３２】
なお、送信制御部を、商品登録部が少なくとも一つの商品を登録した後に、情報取得部が釣銭ニアエンドを示すステータス情報を取得した場合であって、警告情報受付部が警告情報の指定を受け付けた後、商品登録部が登録した商品の登録データを送信させるための送信ボタンを店員用表示部に表示させるとともに、その送信ボタンに対する操作により、登録データを指定部により指定された精算用ＰＯＳレジスタ２０に送信するように構成してもよい。
【００３３】
これにより、登録用ＰＯＳレジスタ１０がある顧客の取引に係る商品登録を開始した後、精算用ＰＯＳレジスタ２０の自動釣銭釣札機が釣銭ニアエンドになった場合でも、登録用ＰＯＳレジスタ１０は、当該顧客の取引に関する登録データを精算用ＰＯＳレジスタ２０に送信することができる。
【００３４】
また、登録用ＰＯＳレジスタ１０は、商品登録部が商品の登録を開始する前に、情報取得部が釣銭ニアエンドまたは釣銭エンドを示すステータス情報を取得した場合であって、警告情報受付部が警告情報の指定を受け付けた後、補充金の取得先を選択するための選択画面を表示させるためのＧＵＩボタンである確認ボタンを店員用表示部に表示させるとともに、その確認ボタンに対する操作による選択画面の指定を受け付ける選択部を備えてもよい。
【００３５】
そして、選択部が確認ボタンの指定を受け付けた場合、貨幣を出金または入金させることを示す指示情報を出力する出力部を備えてもよい。例えば、商品登録部が商品の登録を開始する前に、情報取得部が釣銭ニアエンドまたは釣銭エンドを示すステータス情報を取得した場合であって、警告情報受付部が警告情報の指定を受け付けた場合、登録用ＰＯＳレジスタ１０は、確認ボタンを店員用表示部に表示させる。確認ボタンが押下された場合、登録用ＰＯＳレジスタ１０は、補充金の取得先を選択させるための選択画面を店員用表示部に表示させる。そして、登録用ＰＯＳレジスタ１０は、選択画面に対する店員による操作に応じた取得先を印刷した指示レシートを発行する。
【００３６】
精算用ＰＯＳレジスタ２０は、顧客自身の操作に応じて精算処理を実行する精算装置である。精算用ＰＯＳレジスタ２０は、自動釣銭釣札機と、カードリーダ（例えば、クレジットカードまたはポイントカード用）、ＲＦ（Ｒａｄｉｏ  Ｆｒｅｑｕｅｎｃｙ）リーダ（例えば、電子マネー用）等の決済部とを備える。また、精算用ＰＯＳレジスタ２０は、装置の状態を示すステータス情報を、登録用ＰＯＳレジスタ１０へ随時送信する。また、精算用ＰＯＳレジスタ２０は、釣銭の状態を示すステータス情報を、登録用ＰＯＳレジスタ１０へ定期的（例えば、１０秒おき）に送信する。
【００３７】
また、精算用ＰＯＳレジスタ２０は、登録用ＰＯＳレジスタ１０から登録データを受信すると、顧客が当該精算用ＰＯＳレジスタ２０のところへ来ればよいことが分かるように報知（つまり顧客へ案内）する。報知の例として、例えば、精算用ＰＯＳレジスタ３０が備える表示部に所定の番号等の文字情報を表示する。この番号等の文字情報は、登録用ＰＯＳレジスタ１０が（あるいは、登録用ＰＯＳレジスタ１０を操作している店員が）顧客に別途報知した情報である。よって、顧客は、知らされた番号を表示している精算用ＰＯＳレジスタ２０のところへ行けばよいことになる。また、他の報知の例として、精算用ＰＯＳレジスタ２０が備えるサインポールを点灯させることで案内する。例えば、精算用ＰＯＳレジスタ２０は、サインポールを特定の色で点灯させ、顧客は指定された色の精算用ＰＯＳレジスタ２０のところへ行くようにする。また、サインポールを点滅させてもよい。また、別の報知の例として、会員番号（会員カード番号）を精算用ＰＯＳレジスタ２０の表示部に表示させてもよい。この会員番号は、登録用ＰＯＳレジスタ１０のスキャナが読み取り、精算用ＰＯＳレジスタ２０に通知した番号である。顧客は、自身の会員番号を報知している精算用ＰＯＳレジスタ２０のところへ行くことになる。
【００３８】
また、精算用ＰＯＳレジスタ２０は、報知の後、待機状態になる。すなわち、精算用ＰＯＳレジスタ２０は、報知を行った後、受信した登録データに対応する精算処理の開始の指示などを待機する状態となる。待機状態の解除の例として、例えば、顧客が精算用ＰＯＳレジスタ２０の表示画面をタッチ（あるいは何らかのボタン押下）すると、自動で精算処理を開始する。画面にタッチするまでは画面に何も表示しないか、上記の報知例のように、例えば会員番号を表示させておく。あるいは、精算用ＰＯＳレジスタ２０は、人感知センサを備え、この人感知センサが顧客の接近を検知したとき、精算処理を開始するようにしてもよい。この場合にも、検知するまでは、画面を無表示としたり、会員番号を表示させたりする。あるいは、人感知センサの代わりにカメラを用いてもよい。例えば、精算用ＰＯＳレジスタ２０と登録用ＰＯＳレジスタ１０とにカメラを設け、同一人物が近づいたことを顔認識処理によって検出した場合にのみ、精算処理を開始する。
【００３９】
例えば、待機状態にある精算用ＰＯＳレジスタ２０の精算処理の流れは、次のようなる。（１）まず、精算用ＰＯＳレジスタ２０は、決済方法を選択する。具体的に、顧客は、現金、クレジットカード、電子マネー等のいずれか、または併用する決済方法を操作によって選択する。（２）次に、精算用ＰＯＳレジスタ２０は、選択された決済方法による決済処理を実行する。すなわち、精算用ＰＯＳレジスタ２０は、自動釣銭釣札機への現金投入や釣銭の支払い、カード読み取り機でのカード読み取り等によって決済を実行する。（３）次に、精算用ＰＯＳレジスタ２０は、当該精算用ＰＯＳレジスタ２０が備える印刷部から会計レシートを発行する。この会計レシートには、例えば、購入した商品の一覧、購入合計金額、受領金額、釣金額等が印字される。（４）次に、精算用ＰＯＳレジスタ２０は、精算処理を終了し、空き状態にする。
【００４０】
なお、精算用ＰＯＳレジスタ２０における決済方法は、登録用ＰＯＳレジスタ１０で申告してもよい。この場合は、登録用ＰＯＳレジスタ１０から決済方法を示す情報を精算用ＰＯＳレジスタ２０へ送信し、精算用ＰＯＳレジスタ２０が上記（２）から処理を開始する。
【００４１】
図２は、登録用ＰＯＳレジスタ１０の構成の例を示すブロック図である。図２に示すように、登録用ＰＯＳレジスタ１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、スキャナ１０４と、店員用表示部１０５と、顧客用表示部１０６と、操作部１０７と、通信部１０８と、ブザー１０９と、印刷部１１０とを備える。
ＣＰＵ１０１と、ＲＯＭ１０２と、ＲＡＭ１０３と、スキャナ１０４と、店員用表示部１０５と、顧客用表示部１０６と、操作部１０７と、通信部１０８と、ブザー１０９と、印刷部１１０とは、信号線およびバスを介して接続されている。
【００４２】
ＲＯＭ１０２は、読み出し専用メモリであり、プログラムを記憶する。ＣＰＵ１０１は、中央演算処理装置であり、ＲＯＭ１０２に記憶されているプログラムを読み出して実行することにより、登録用ＰＯＳレジスタ１０の動作を制御する。スキャナ１０４は、商品に付されているバーコードを光学的に読み取る。ＲＡＭ１０３は、随時読み出し書き込みメモリであり、種々の情報を記憶する。例えば、ＲＡＭ１０３は、スキャナ１０４によって読み取られたバーコードに関連付けられた商品情報、精算用ＰＯＳレジスタ２０から受信したステータス情報等を記憶する。また、例えば、ＲＡＭ１０３は、操作ボタンが操作された履歴を記憶してもよい。
【００４３】
店員用表示部１０５および顧客用表示部１０６は、種々の情報を表示する。例えば、店員用表示部１０５および顧客用表示部１０６は、商品マスタ情報から取得した情報（例えば、商品の名称、販売価格、値引き価格等）を表示する。また、店員用表示部１０５は、タッチパネル付表示装置により実現され、店員に対する種々の情報を表示する。さらに、店員用表示部１０５は、画面内の領域に表示された操作ボタン（プリセットボタン）が操作されることにより、予め設定登録された商品情報（商品コード等）について、操作入力を受け付ける。
【００４４】
操作部１０７は、登録用ＰＯＳレジスタ１０を動作させるための各種の操作ボタン（小計キー、現計キー、置数キー、訂正キー、プリセットキー等）を備える。例えば、操作部１０７は、操作ボタン（プリセットキー）が操作されることにより、そのプリセットキーに予め設定登録されている商品情報（商品コード等）について、操作入力を受け付ける。通信部２０７は、ネットワーク５０を介して、他の装置と通信する。ブザー１０９は、店員が操作を確認することが必要な場合等に、ブザー音を発生する。
【００４５】
印刷部１１０は、登録データ等を示す情報を必要に応じて印刷する。ただし、本実施形態において登録データの印刷は省略することができる。なお、印刷部１１０は、前述したように、ステータス情報に応じて選択した登録データの送信先となる精算用ＰＯＳレジスタ２０を案内する情報を指示レシートに印刷してもよい。
【００４６】
図３は、精算用ＰＯＳレジスタ２０の構成の例を示すブロック図である。図３に示すように、精算用ＰＯＳレジスタ２０は、ＣＰＵ２０１と、ＲＯＭ２０２と、ＲＡＭ２０３と、スキャナ２０４と、表示部２０５と、操作部２０６と、通信部２０７と、ブザー２０８と、印刷部２０９と、決済部２１０と、自動釣銭釣札機２１１と、サインポール２１２と、人感知センサ２１３とを備える。
ＣＰＵ２０１と、ＲＯＭ２０２と、ＲＡＭ２０３と、スキャナ２０４と、表示部２０５と、操作部２０６と、通信部２０７と、ブザー２０８と、印刷部２０９と、決済部２１０と、自動釣銭釣札機２１１と、サインポール２１２と、人感知センサ２１３とは、信号線およびバスを介して接続されている。
【００４７】
ＲＯＭ２０２は、プログラムを記憶している読み出し専用メモリである。ＣＰＵ２０１は、中央演算処理装置であり、ＲＯＭ２０２に記憶されているプログラムを読み出して実行することにより、精算用ＰＯＳレジスタ２０の動作を制御する。ＲＡＭ２０３は、種々の情報を記憶する、随時読み出し書き込みメモリである。例えば、ＲＡＭ２０３は、ストアコントローラ４０から取得した商品マスタ情報、およびスキャナ２０４によって読み取られたバーコードまたは二次元コードによって示される商品の買上内容等を記憶する。スキャナ２０４によってバーコードまたは二次元コードを読み取る場合の例として、登録用ＰＯＳレジスタ１０において、精算用ＰＯＳレジスタ２０のステータス情報が何らかの事情により取得することができない（例えば、トラブル発生中の状況にある）ために、登録用ＰＯＳレジスタ１０が会計に用いるバーコードまたは二次元コードを会計レシートに印字した場合等である。
【００４８】
スキャナ２０４は、例えば、会員カード等に付されているバーコード（会員コード）を光学的に読み取る。表示部２０５は、ＣＰＵ２０１による制御に応じて、種々の情報を表示する。また、表示部２０５は、表示した操作ボタンが操作された履歴（例えば、操作回数、操作順等）を、操作ボタンごとにＲＡＭ２０３に記憶させる。操作部２０６は、精算用ＰＯＳレジスタ２０を動作させるための各種の操作ボタン（訂正キー、プリセットキー、店員呼出ボタン等）を備える。例えば、操作部２０６は、操作ボタン（訂正キー）が操作されることにより、操作入力の訂正を受け付ける。通信部２０７は、ネットワーク５０を介して、他の装置と通信する。通信部２０７は、例えば、ストアコントローラ４０と通信して、ストアコントローラ４０から最新の商品マスタ情報を取得する。ブザー２０８は、エラー等が発生した場合、エラーを報知するブザー音を発生する。印刷部２０９は、精算処理（すなわち、商品の買上金額の決済）が終了した場合、顧客が持ち帰る会計レシートを印刷して出力する。
【００４９】
決済部２１０は、クレジットカードリーダ、電子マネーリーダ等と、それらの制御部とを備える。決済部３１０は、現金、クレジット、電子マネーにより決済処理を行う。決済部３１０は、自動釣銭釣札機２１１によって、現金による決済を実行し、決済を実行した結果（例えば、決済が成立したか否かを示す情報）をＣＰＵ２０１に供給する。また、決済部３１０は、クレジットにより決済を実行し、決済を実行した結果をＣＰＵ２０１に供給する。また、決済部３１０は、電子マネーにより決済を実行し、決済を実行した結果をＣＰＵ２０１に供給する。自動釣銭釣札機２１１は、紙幣の投入および排出を行う紙幣入出口と、硬貨を投入する硬貨投入口と、釣銭を排出する釣銭排出口とを備える。
【００５０】
サインポール２１２は、例えば、複数色の表示灯を有し、それらの表示灯を点灯または点滅させることで、精算用ＰＯＳレジスタ２０が選択された装置であることを示す情報を報知したり、操作可能である旨を報知したりする。人感知センサ２１３は、精算用ＰＯＳレジスタ２０の正面の所定圏内に人物（顧客）がいることを検知するセンサである。
【００５１】
次に、ＰＯＳシステム１の動作の例について説明する。
図４は、精算用ＰＯＳレジスタ２０と登録用ＰＯＳレジスタ１０との間のステータス情報の送受信の手順の例を示すフローチャートである。
まず、精算用ＰＯＳレジスタ２０の動作について説明する。精算用ＰＯＳレジスタ２０において、ＣＰＵ２０１は、ＲＯＭ２０２に記憶されたプログラムを読み出して実行している状態である。
ステップＳ１において、ＣＰＵ２０１は、自動釣銭釣札機２１１の貨幣の保有枚数を金種ごとに調べる。
次に、ステップＳ２において、ＣＰＵ２０１は、釣銭の状態を示すステータス情報を生成する。この釣銭の状態を示すステータス情報は、金種ごとの保有枚数を示す情報と、釣銭ニアエンド、釣銭エンド等の状態を示す情報とを含む。次に、通信部２０７は、釣銭の状態を示すステータス情報を登録用ＰＯＳレジスタ１０に送信する。
次に、ステップＳ３において、ＣＰＵ２０１は、例えば、タイマにより所定時間（例えば、１０秒間）を計時する。次に、ＣＰＵ２０１は、ステップＳ１の処理に戻す。
【００５２】
つまり、精算用ＰＯＳレジスタ２０は、定期的に自動釣銭釣札機２１１の貨幣の保有枚数を調べて釣銭の状態を示すステータス情報を生成し、この釣銭の状態を示すステータス情報を登録用ＰＯＳレジスタ１０に送信する。
【００５３】
次に、登録用ＰＯＳレジスタ１０の動作について説明する。登録用ＰＯＳレジスタ１０において、ＣＰＵ１０１は、ＲＯＭ１０２に記憶されたプログラムを読み出して実行している状態である。ここでは、釣銭ニアエンドを例として説明する。
ステップＳ１１において、通信部１０８は、精算用ＰＯＳレジスタ２０が送信した、釣銭の状態を示すステータス情報を受信し、このステータス情報をＣＰＵ１０１に供給する。ＣＰＵ１０１は、ステータス情報をＲＡＭ１０３に記憶させる。
次に、ステップＳ１２において、ＣＰＵ１０１は、釣銭の状態を示すステータス情報に釣銭ニアエンドを示す情報が含まれている場合（ステップＳ１２：ＹＥＳ）はステップＳ１３に処理を移し、釣銭ニアエンドを示す情報が含まれていない場合は本フローチャートの処理を終了させる（ステップＳ１２：ＮＯ）。
ステップＳ１３において、ＣＰＵ１０１は、釣銭ニアエンドを表す警告情報を店員用表示部１０５に表示させる。
【００５４】
図５は、登録用ＰＯＳレジスタ１０が買上商品の登録の開始前に、精算装置ボタンが押下された場合の処理手順の例を示したフローチャートである。登録用ＰＯＳレジスタ１０において、ＣＰＵ１０１は、ＲＯＭ１０２に記憶されたプログラムを読み出して実行している状態である。登録用ＰＯＳレジスタ１０は、精算用ＰＯＳレジスタ２０から釣銭の状態を示すステータス情報を定期的に受信しているものとする。
ステップＳ２１において、買上商品の登録の開始前に、店員用表示部１０５に表示された精算用ＰＯＳレジスタ２０を示すＧＵＩボタンである精算装置ボタンが店員によって押下される。つまり、指定部が精算用ＰＯＳレジスタ２０の指定を受け付ける。
【００５５】
次に、ステップＳ２２において、ＣＰＵ１０１は、釣銭の状態を示すステータス情報に釣銭ニアエンドを示す情報が含まれている場合（ステップＳ２２：ＹＥＳ）はステップＳ２３の処理に移し、釣銭ニアエンドを示す情報および釣銭エンドを示す情報が含まれていない場合はステップＳ３１の処理に移す（ステップＳ２２：ＮＯ）。
【００５６】
ステップＳ２３において、表示制御部は、釣銭ニアエンドを示す警告情報を、精算用ＰＯＳレジスタ２０の精算装置ボタンに対応付けて店員用表示部１０５に表示させる。
次に、ステップＳ２４において、警告情報受付部は、店員用表示部１０５に表示された警告情報に対する操作による警告情報を受け付けるまで待機する（ステップＳ２４：ＮＯ）。警告情報受付部が警告情報の指定を受け付けた場合（ステップＳ２４：ＹＥＳ）はステップＳ２５の処理に移す。
【００５７】
ステップＳ２５において、表示制御部は、警告情報受付部が受け付けた警告情報に関する関連情報（詳細情報）を店員用表示部１０５に表示させる。具体的に、例えば、表示制御部は、精算用ＰＯＳレジスタ２０を特定する情報と、金銭ニアエンドとなっている金種を示す情報と、ＧＵＩボタンである確認ボタンとを、店員用表示部１０５に表示させる。
ステップＳ２６において、ＣＰＵ１０１は、店員用表示部１０５に表示された確認ボタンに対する操作を受け付けるまで待機する（ステップＳ２６：ＮＯ）。確認ボタンが押下されると（ステップＳ２６：ＹＥＳ）、ステップＳ２７の処理に移す。
ステップＳ２７において、ＣＰＵ１０１は、補充金の取得先候補を選出する。この補充金の取得先候補の選出処理については、後述する。
【００５８】
次に、ステップＳ２８において、ＣＰＵ１０１は、選出した、補充金の取得先候補を示す、補充金の取得先選択メニューを店員用表示部１０５に表示させる。補充金の取得先選択メニューの具体例については、後述する。
次に、ステップＳ２９において、ＣＰＵ１０１は、補充金の取得先選択メニューに対する店員の操作に応じて、補充金の取得先を選択する。
次に、ステップＳ３０において、ＣＰＵ１０１は、貨幣を出金または入金させることを示す指示情報を印刷した指示レシートを、印刷部１１０から出力させる。そして、ＣＰＵ１０１は、本フローチャートの処理を終了させる。
【００５９】
一方、ステップＳ３１において、ＣＰＵ１０１は、指定された精算用ＰＯＳレジスタ２０を精算先の精算装置として決定する。そして、ＣＰＵ１０１は、本フローチャートの処理を終了させる。
【００６０】
図６は、登録用ＰＯＳレジスタ１０が買上商品の登録の開始後に、精算装置ボタンが押下された場合の処理手順の例を示したフローチャートである。登録用ＰＯＳレジスタ１０において、ＣＰＵ１０１は、ＲＯＭ１０２に記憶されたプログラムを読み出して実行している状態である。登録用ＰＯＳレジスタ１０は、精算用ＰＯＳレジスタ２０から釣銭の状態を示すステータス情報を定期的に受信しているものとする。
ステップＳ５１において、買上商品の登録の開始後に、店員用表示部１０５に表示された精算用ＰＯＳレジスタ２０を示す精算装置ボタンが店員によって押下される。つまり、指定部が精算用ＰＯＳレジスタ２０の指定を受け付ける。
【００６１】
次に、ステップＳ５２において、ＣＰＵ１０１は、釣銭の状態を示すステータス情報に釣銭ニアエンドを示す情報が含まれている場合（ステップＳ５２：ＹＥＳ）はステップＳ５３の処理に移し、釣銭ニアエンドを示す情報および釣銭エンドを示す情報が含まれていない場合はステップＳ５７の処理に移す（ステップＳ５２：ＮＯ）。
【００６２】
ステップＳ５３において、表示制御部は、釣銭ニアエンドを示す警告情報を、精算用ＰＯＳレジスタ２０の精算装置ボタンに対応付けて店員用表示部１０５に表示させる。
次に、ステップＳ５４において、警告情報受付部は、店員用表示部１０５に表示された警告情報に対する操作による警告情報を受け付けるまで待機する（ステップＳ５４：ＮＯ）。警告情報受付部が警告情報の指定を受け付けた場合（ステップＳ５４：ＹＥＳ）はステップＳ５５の処理に移す。
【００６３】
ステップＳ５５において、表示制御部は、警告情報受付部が受け付けた警告情報に関する関連情報（詳細情報）を店員用表示部１０５に表示させる。具体的に、例えば、表示制御部は、精算用ＰＯＳレジスタ２０を特定する情報と、金銭ニアエンドとなっている金種を示す情報と、ＧＵＩボタンである送信ボタンとを、店員用表示部１０５に表示させる。
【００６４】
ステップＳ５６において、送信制御部は、店員用表示部１０５に表示された送信ボタンに対する操作を受け付けるまで待機する（ステップＳ５６：ＮＯ）。送信ボタンが押下されると（ステップＳ５６：ＹＥＳ）、ステップＳ５７の処理に移す。
【００６５】
ステップＳ５７において、送信制御部は、ＲＡＭ１０３に記憶された登録データを、通信部１０８によって精算用ＰＯＳレジスタ２０に送信させる。そして、ＣＰＵ１０１は、本フローチャートの処理を終了させる。
【００６６】
次に、登録用ＰＯＳレジスタ１０の店員用表示部１０５の表示の例について説明する。
図７は、登録用ＰＯＳレジスタ１０の店員用表示部１０５のステータス情報および警告情報の表示の例を示した図である。図７（ａ）は、精算用ＰＯＳレジスタ２０−１（図７では、精算機１と記載する。）の状態が待機状態であり、釣銭の状態が釣銭ニアエンドおよび釣銭エンドになっていない場合の例である。図７（ａ）は、指定部である精算装置ボタン５０１の一部分にステータス情報５０２の一部分が重なった場合の例を示している。ステータス情報５０２は、待機状態を表している。また、ステータス情報５０２は、その背景色により警告情報を表している。釣銭ニアエンドおよび釣銭エンドの警告でない場合、実際には、例えば、ステータス情報の背景色が「黄色」となる。
【００６７】
一方、図７（ｂ）は、精算用ＰＯＳレジスタ２０−１の装置の状態が待機状態であり、釣銭の状態が釣銭ニアエンドになっている場合の例である。図７（ｂ）は、指定部である精算装置ボタン５０３の一部分にステータス情報５０４の一部分が重なった場合の例を示している。ステータス情報５０４は、待機状態を表している。また、ステータス情報５０４は、その背景色により警告情報を表している。釣銭ニアエンドの警告である場合、実際には、例えば、ステータス情報の背景色が「橙色」となる。
なお、図示はしないが、釣銭エンドの警告である場合、実際には、例えば、ステータス情報の背景色が「赤色」となる。
【００６８】
また、ステータス情報５０２は、精算装置ボタン５０１に重なることなく、精算装置ボタン５０１の近傍に表示されてもよい。例えば、ステータス情報５０２は、精算装置ボタン５０１に隣接して表示されてもよい。同様に、ステータス情報５０４は、精算装置ボタン５０３に重なることなく、精算装置ボタン５０３の近傍に表示されてもよい。例えば、ステータス情報５０４は、精算装置ボタン５０３に隣接して表示されてもよい。
【００６９】
図８は、精算用ＰＯＳレジスタ２０のＲＡＭ２０３またはＲＯＭ２０２が記憶する貨幣設定枚数テーブルのデータ構成の例を示す図である。図８に示すように、貨幣設定枚数テーブルは、金種ごとの釣銭ニアエンドの設定枚数（下限枚数）Ａと、他の精算用ＰＯＳレジスタ装置２０へ移動可能な金種ごとの余剰金の設定枚数（余剰金設定枚数）Ｂとを含む。
【００７０】
なお、貨幣設定枚数テーブルは、登録用ＰＯＳレジスタ１０のＣＰＵ１０１が参照可能な場所、例えば、ストアコントローラ４０、または、ネットワーク５０に接続されたサーバ装置、アテンダント端末（監視装置）等に記憶されていてもよい。
【００７１】
図９は、精算用ＰＯＳレジスタ２０のＲＡＭ２０３が記憶する現保有枚数テーブルのデータ構成の例を示す図である。例えば、図８（ａ）は、精算用ＰＯＳレジスタ２０−１のＲＡＭ２０３が記憶する現保有枚数テーブル（Ｎｏ．１）の例である。また、図８（ｂ）は、精算用ＰＯＳレジスタ２０−２のＲＡＭ２０３が記憶する現保有枚数テーブル（Ｎｏ．２）の例である。また、図８（ｃ）は、精算用ＰＯＳレジスタ２０−４のＲＡＭ２０３が記憶する現保有枚数テーブル（Ｎｏ．４）の例である。図８（ａ）〜（ｃ）に示すように、現保有枚数テーブルは、金種ごとの自動釣銭釣札機２１１の現保有枚数を格納している。
【００７２】
ただし、登録用ＰＯＳレジスタ１０は、精算用ＰＯＳレジスタ２０−１〜２０−ｎそれぞれから現保有枚数テーブルを定期的、たまは随時取得し、ＲＡＭ１０３に記憶させておく。なお、精算用ＰＯＳレジスタ２０−１〜２０−ｎそれぞれの現保有枚数テーブルは、登録用ＰＯＳレジスタ１０のＣＰＵ１０１が参照可能な場所に記憶されていればよい。例えば、これら現保有枚数テーブルは、ストアコントローラ４０、または、ネットワーク５０に接続されたサーバ装置、アテンダント端末等に記憶されていてもよい。
【００７３】
図１０は、登録用ＰＯＳレジスタ１０の商品登録部が商品の登録を開始する前に、情報取得部が釣銭の状態を示すステータス情報を取得した場合であって、警告情報受付部が警告情報の指定を受け付けた後、店員用表示部１０５に確認ボタンを表示させた例を示す図である。図１０は、精算装置ボタン５１１が押下されて精算用ＰＯＳレジスタ２０−１（図１０では、精算装置１と記載する。）が選択された状態を表している。そして、図１０は、釣銭ニアエンドの警告情報を表しているステータス情報５１２が押下されたことにより、詳細情報５１３が表示され、更に、ＧＵＩボタンである確認ボタン５１４が表示された状態を表している。詳細情報５１３は、選択された精算用ＰＯＳレジスタ２０−１（精算装置１）において、１０００円、５００円、１００円、１０円の金種の貨幣が金銭ニアエンドとなっていることを表している。
【００７４】
図１１は、釣銭ニアエンド時に補充金の取得先を選択するための、補充金の取得先選択メニュー（選択画面）の例である。図１１を参照して、補充金の取得先候補の選出処理を説明する。例えば、登録用ＰＯＳレジスタ１０は、図１０に示した確認ボタン５１４が押下された場合、図８の貨幣設定枚数テーブルおよび図９の現保有枚数テーブルに基づいて、図１１に示すような選択画面を店員用表示部１０５に表示させる。図１１に示した選択画面には、補充金の取得先候補として、事務所（店舗のバックヤード）に対応するＧＵＩボタン、精算用ＰＯＳレジスタ２０−２（精算機２）に対応するＧＵＩボタン、精算用ＰＯＳレジスタ２０−４（精算機４）に対応するＧＵＩボタンが表示されている。店員は、画面上のいずれかのＧＵＩボタンを押下して取得先を選択する。
【００７５】
精算用ＰＯＳレジスタ２０を示すＧＵＩボタンには、釣銭ニアエンドである金種（補充される金種）についての当該精算用ＰＯＳレジスタ２０の余剰枚数が表示される。余剰枚数とは、図８に示した余剰金設定枚数Ｂを超える枚数である。例えば、図１１の選択画面において、精算用ＰＯＳレジスタ２０−２に対応するＧＵＩボタンには、当該精算用ＰＯＳレジスタ２０−２の余剰枚数（１００円硬貨が７０枚、５円硬貨が２０枚）が表示され、精算用ＰＯＳレジスタ２０−４に対応するボタンには、当該精算用ＰＯＳレジスタ２０−４の余剰枚数（１００円硬貨が６２枚、５円硬貨が２５枚）が表示されている。つまり、登録用ＰＯＳレジスタ１０は、ある金種の貨幣を補充する取得先候補として、ある精算用ＰＯＳレジスタ２０に対応するＧＵＩボタンを表示するときは、余剰金設定枚数（図８のＢ）と、当該精算用ＰＯＳレジスタ２０における当該金種の釣銭残置情報とに基づいて、当該精算用ＰＯＳレジスタ２０の当該金種の余剰枚数を算出し、算出した余剰枚数をＧＵＩボタン上に表示させる。
【００７６】
例えば、図１１の選択画面には、１００円硬貨および５円硬貨を補充する取得先候補として精算用ＰＯＳレジスタ２０−２に対応するＧＵＩボタンが表示されているが、登録用ＰＯＳレジスタ１０は、１００円硬貨の余剰金設定枚数（１２０枚）と、精算用ＰＯＳレジスタ２０−２における１００円硬貨の保持枚数（１９０枚）とに基づいて、精算用ＰＯＳレジスタ２０−２の１００円硬貨の余剰枚数（７０枚）を算出し、また、５円硬貨の余剰金設定枚数（１２０枚）と、精算用ＰＯＳレジスタ２０−２における５円硬貨の保持枚数（１４０枚）とに基づいて、精算用ＰＯＳレジスタ２０−２の５円硬貨の余剰枚数（２０枚）を算出し、余剰枚数（１００円硬貨が７０枚、５円硬貨が２０枚）をＧＵＩボタン上に表示している。
【００７７】
ここで、出金可能な精算用ＰＯＳレジスタ２０（ＧＵＩボタンとして表示される精算用ＰＯＳレジスタ２０）に該当するか否かを判断する判断手法、すなわち、取得先候補の決定方法について説明する。
【００７８】
登録用ＰＯＳレジスタ１０は、補充対象の金種（釣銭ニアエンドである金種）について、余剰金設定枚数と、補充設定（補充設定値（数）、補充基準値（数）ともいう。）と、各精算用ＰＯＳレジスタ２０の保持枚数とに基づいて、各精算用ＰＯＳレジスタ２０が、出金可能な精算用ＰＯＳレジスタに該当するか否かを判断する。補充設定の一例は、通過設定客数（設定客数、基準客数ともいう。）である。通過設定客数とは、今後その精算用ＰＯＳレジスタ２０において会計を行うであろう通過する客数（客捌き予定数）として設定された客数（処理予定の客数）である。なお、通過設定客数の初期値は１５人であるものとする。補充設定（通過設定客数等）は、登録用ＰＯＳレジスタ１０が参照可能な場所に記憶されている。例えば、登録用ＰＯＳレジスタ１０は、自装置内に、通過設定客数を記憶してもよい。
【００７９】
また、登録用ＰＯＳレジスタ１０が参照可能な場所（例えば、自装置内）には、通過設定客数に対応する枚数（通過設定客数対応枚数）を得るための情報が記憶されている。例えば、通過設定客数１人に対する各金種の枚数（通過設定客数１人につき換算される各金種の釣銭として払出される予定である予定枚数）を設定した客数枚数基準情報が記憶されている。本実施形態では、顧客一人に釣銭として払出される貨幣毎の最大枚数に基づいて客数枚数基準情報を設定している。つまり、客数枚数基準情報には、通過設定客数１人に対し、１円硬貨は４枚、５円硬貨は１枚、１０円硬貨は４枚、５０円硬貨は１枚、１００円硬貨は４枚、５００円硬貨は１枚、１０００円札は４枚、５０００円札は１枚である旨が設定されている。言い換えれば、客数枚数基準情報には、１円硬貨、１０円硬貨、１００円硬貨、１０００円札の各金種の通過設定客数対応枚数は通過設定客数×４枚である旨、および、５円硬貨、５０円硬貨、５００円硬貨、５０００円札の各金種の通過設定客数対応枚数は通過設定客数×１枚である旨が設定されている。
【００８０】
登録用ＰＯＳレジスタ１０は、通過設定客数と、客数枚数基準情報とに基づいて、各金種の通過設定客数対応枚数を得る。例えば、通過設定客数が１５人（初期値）であるときには、登録用ＰＯＳレジスタ１０は、通過設定客数対応枚数として、１円硬貨は６０枚、５円硬貨は１５枚、１０円硬貨は６０枚、…、５０００円札は１５枚を得る。また、例えば、通過設定客数が１０人であるときには、１円硬貨は４０枚、５円硬貨は１０枚、１０円硬貨は４０枚、…、５０００円札は１０枚を得る。
【００８１】
登録用ＰＯＳレジスタ１０は、補充対象の金種の保持枚数が、当該金種の余剰金設定枚数に当該金種の通過設定客数対応枚数を加算した枚数以上である精算用ＰＯＳレジスタ２０を出金可能な精算機と判断する。登録用ＰＯＳレジスタ１０は、補充対象の金種が２種類以上ある場合には、補充対象の全部の金種のそれぞれについて、上記の条件を満たしている精算用ＰＯＳレジスタ２０を出金可能な精算機と判断してもよい。
【００８２】
例えば、補充対象の金種が１円硬貨のみである場合、登録用ＰＯＳレジスタ１０は、１円硬貨の保持枚数が、（１円硬貨の余剰金設定枚数＋１円硬貨の通過設定客数対応枚数）以上である精算用ＰＯＳレジスタ２０を出金可能な精算機と判断する。なお、１円硬貨の通過設定客数対応枚数は、上述のごとく、通過設定客数×４枚である。補充対象の金種が１０円硬貨のみである場合や、補充対象の金種が１００円硬貨のみである場合や、補充対象の金種が１０００円札のみである場合も同様である。
【００８３】
また、補充対象の金種が５円硬貨のみである場合、登録用ＰＯＳレジスタ１０は、５円硬貨の保持枚数が、（５円硬貨の余剰金設定枚数＋５円硬貨の通過設定客数対応枚数）以上である精算用ＰＯＳレジスタ２０を出金可能な精算機と判断する。なお、５円硬貨の通過設定客数対応枚数は、上述のごとく、通過設定客数×１枚である。補充対象の金種が５０円硬貨のみである場合や、補充対象の金種が５００円硬貨のみである場合や、補充対象の金種が５０００円札のみである場合も同様である。
【００８４】
また、補充対象の金種が５円硬貨と１００円硬貨である場合、登録用ＰＯＳレジスタ１０は、５円硬貨の保持枚数が（５円硬貨の余剰金設定枚数＋５円硬貨の通過設定客数対応枚数）以上であって、且つ１００円硬貨の保持枚数が（１００円硬貨の余剰金設定枚数＋１００円硬貨の通過設定客数対応枚数）以上である精算用ＰＯＳレジスタ２０を、出金可能な精算用ＰＯＳレジスタ２０であると判断してもよい。補充対象の金種が他の二種類以上の組み合わせである場合も同様である。
【００８５】
図１１の例の場合、精算用ＰＯＳレジスタ２０−１（精算機１）の釣銭ニアエンドの金種は、図９（ａ）に示したように、５円硬貨と１００円硬貨である。また、図８によれば、５円硬貨の余剰金設定枚数は１２０枚、１００円硬貨の余剰金設定枚数は１２０枚である。そして、通過設定客数が１５人（初期値）であるときには、５円硬貨の通過設定客数対応枚数は１５枚、１００円硬貨の通過設定客数対応枚数は６０枚である。したがって、図１０に示した画面において確認ボタン５１４が押下された場合、登録用ＰＯＳレジスタ１０は、５円硬貨を１３５枚（＝１２０枚＋１５枚）以上保持し、かつ、１００円硬貨を１８０枚（＝１２０枚＋６０枚）以上保持している精算用ＰＯＳレジスタ２０−２（精算機２）および精算用ＰＯＳレジスタ２−４（精算機４）を、出金可能な精算機と判断する。
【００８６】
図１１に示した選択画面において、店員は、精算用ＰＯＳレジスタ２０−１への補充金の取得先として、精算用ＰＯＳレジスタ２０−２を選択するときにはＧＵＩボタン「Ｎｏ.２」を押下し、精算用ＰＯＳレジスタ２０−４を選択するときにはＧＵＩボタン「Ｎｏ.４」を押下する。また、店員は、精算用ＰＯＳレジスタ２０−１への補充金の取得先として、事務所を選択するときには、ＧＵＩボタン「事務所金から補充する」を押下する。
【００８７】
なお、出金可能な精算用ＰＯＳレジスタ２０が複数ある場合（精算用ＰＯＳレジスタ２０に対応するＧＵＩボタンを複数配置する場合）は、登録用ＰＯＳレジスタ１０は、図１１に示したように、上位（図１１の例の場合には画面上側）から下位（図１１の例の場合には画面下側）に、レジ番号の昇順にＧＵＩボタンを並べて表示させる。
【００８８】
ただし、出金可能な精算用ＰＯＳレジスタ２０が複数ある場合のＧＵＩボタンの並べ方は、レジ番号の昇順に並べる並べ方に限定されない。例えば、補充対象の金種の貨幣の保持枚数の降順（多い順）にＧＵＩボタンを表示させてもよい。すなわち、登録用ＰＯＳレジスタ１０は、保持枚数に応じた優先順位にしたがって精算用ＰＯＳレジスタ２０に対応するＧＵＩボタンを表示させてもよい。
【００８９】
なお、出金可能な精算用ＰＯＳレジスタ２０が複数ある場合であって、且つ、補充対象の金種が複数ある場合には、ある一つの金種（例えば、全金種について予め順位を付けておき補充対象の複数の金種のうち順位が最も高い金種、補充対象の複数の金種のうち額面が最も高い金種、補充対象の複数の金種のうち補充枚数が最も多い金種）について、保持枚数の降順にボタンを表示させてもよい。また、上記の場合に、補充対象の各金種の合計枚数の降順にボタンを表示させてもよい。また、上記の場合に、金種ごとに係数（例えば、客数に換算させるべく、１円硬貨、１０円硬貨、…、１０００円札の係数は「1／４」、５円硬貨、５０円硬貨、…、５０００円札の係数は「１」）を付加して合算した枚数（例えば、図１１の精算用ＰＯＳレジスタ２０−２の場合には７０枚×１／４＋２０枚×１）の降順にボタンを表示させてもよい。また、第１ソート、第２ソートというように、２以上の金種について降順にソートさせて表示してもよい。
【００９０】
図１２は、貨幣の移動の状況等を確認するための確認画面の一例である。選択画面において、店員が取得先を選択し（取得先のＧＵＩボタンを押下）し、所定の操作（例えば、終了ボタンの押下）を行うと、登録用ＰＯＳレジスタ１０は、図１２に示すような確認画面を表示する。図１２に示した確認画面は、図１１の選択画面において、精算用ＰＯＳレジスタ２０−１への補充金の取得先として精算用ＰＯＳレジスタ２０−２が選択された場合の確認画面の例である。図１２に示した確認画面において、店員は、貨幣の移動状況等を確認し、所定の操作（例えば、終了ボタンの押下）を行って、指示レシートを発行させる。すなわち、確認画面において、店員が、所定の操作（例えば、終了ボタンの押下）を行うと、登録用ＰＯＳレジスタ１０は、操作者の認証（後述する）後に、指示レシートを発行する。
【００９１】
図１２に示した確認画面においては、移動元の保持枚数を視覚的に表示させ（図１２の場合には棒グラフの様に表示させ）、移動先の保持枚数については視覚的に表示させていないが、移動元に代えて、または、加えて、移動先の保持枚数を視覚的に表示させてもよい。なお、移動元の視覚的な表示（例えば、棒グラフ）と、移動先の視覚的な表示（例えば、棒グラフ）とは、同時に（いっぺんに）表示してもよいし、操作によっていずれかを切り替えて表示してもよい。
【００９２】
図１３は、操作者の認証について説明するための図である。登録用ＰＯＳレジスタ１０は、釣銭ニアエンドである精算用ＰＯＳレジスタ２０が指定され、釣銭ニアエンド時における補充金の取得先が選択された場合、セキュリティに関する画面を表示する。例えば、登録用ＰＯＳレジスタ１０は、図１２に示した確認画面において、店員が、所定の操作（例えば、終了ボタンの押下）を行った後に、従業員カードを読ませることを指示する、図１３（ａ）に示すような画面を表示する。図１３（ａ）の画面には、従業員カードを読ませることを指示するメッセージが表示される。登録用ＰＯＳレジスタ１０は、従業員カードに印刷されている従業員バーコードがスキャナ１０４によって読み取られた場合、承認処理として、当該店員に指示レシート（入出金伝票）の発行権限があるか否かを判断する。具体的に、例えば、登録用ＰＯＳレジスタ１０は、従業員バーコードから得られる従業員コードと、予め設定され登録用ＰＯＳレジスタ１０の内部または外部に保持されている権限ファイルとを参照して、当該店員に指示レシート（入出金伝票）の発行権限があるか否かを判断する。権限ファイルには、例えば、少なくとも、従業員コード別に指示レシートの発行処理に対する権限の有無に関する情報が格納されていればよい。登録用ＰＯＳレジスタ１０は、当該店員に指示レシート（入出金伝票）の発行権限があると判断した場合（即ち、承認ＯＫの場合）、指示レシートを印刷して発行する。なお、従業員バーコードは、操作者を識別する識別情報を含むコード情報の一例であって、操作者を識別する識別情報を含むコード情報は、光学的に読み取られるものに限定されず、例えば、磁気的、電気的に読み取られるものであってもよい。
【００９３】
登録用ＰＯＳレジスタ１０は、従業員バーコードが読み取られた場合でなく、従業員コードおよびパスワードが入力された場合であっても、指示レシート（入出金伝票）を印刷、発行してもよい。例えば、上述の権限ファイルに、従業員コード別に、パスワードと、指示レシートの発行処理に対する権限の有無に関する情報を格納しておく。そして、登録用ＰＯＳレジスタ１０は、従業員コードおよびパスワードが入力された場合に、権限ファイルを参照して、当該店員に指示レシート（入出金伝票）の発行権限があるか否かを判断する。
【００９４】
なお、登録用ＰＯＳレジスタ１０は、図１３（ａ）の画面上のＧＵＩボタン「入力」が押下された場合、図１３（ｂ）に示すような画面を表示し、上記画面を介して従業員コードおよびパスワードを取得してもよい。
【００９５】
図１４は、指示レシートの一例である。登録用ＰＯＳレジスタ１０は、釣銭ニアエンド時における補充金の取得先として精算用ＰＯＳレジスタ２０が選択されたときと、取得先として事務所が選択されたときとで、異なる形式の指示レシートを印刷して発行する。具体的に、登録用ＰＯＳレジスタ１０は、精算用ＰＯＳレジスタ２０が選択されたときには、図１４（ａ）のごとくサイン領域を有しない指示レシートを印刷して発行する。一方、登録用ＰＯＳレジスタ１０は、事務所が選択されたときには、図１４（ｂ）のごとくサイン領域を有する指示レシートを印刷して発行する。なお、図１４（ｂ）に示した指示レシートには、３名分の押印ができるようにしているが、１名分もしくは２名分、または４名分以上の押印ができるようにしてもよい。
【００９６】
また、登録用ＰＯＳレジスタ１０は、釣銭ニアエンド時における補充金の取得先として精算用ＰＯＳレジスタ２０が選択されたときに発行する指示レシートには、出金指示情報と入金指示情報とを含んだバーコードを印刷するが、事務所が選択されたときであって事務所の準備金管理装置においてバーコードを読み取らないときには、出金指示情報を含まずに入金指示情報を含んだバーコードを印刷する。
【００９７】
図１５は、登録用ＰＯＳレジスタ１０の商品登録部が商品の登録を開始した後に、情報取得部が釣銭の状態を示すステータス情報を取得した場合であって、警告情報受付部が警告情報の指定を受け付けた後、店員用表示部１０５に送信ボタンを表示させた例を示す図である。図１５は、精算装置ボタン５２１が押下されて精算用ＰＯＳレジスタ２０−１（図１５では、精算装置１と記載する。）が選択された状態を表している。そして、図１５は、釣銭ニアエンドの警告情報を表しているステータス情報５２２が押下されたことにより、詳細情報５２３が表示され、更に、ＧＵＩボタンである送信ボタン５２４および戻るボタン５２５が表示された状態を表している。詳細情報５２３は、選択された精算用ＰＯＳレジスタ２０−１（精算装置１）において、１０００円、５００円、１００円、１０円の金種の貨幣が釣銭ニアエンドとなっていることを表している。
【００９８】
［その他の実施形態］
上述した実施形態は、釣銭の状態が釣銭ニアエンドおよび釣銭エンドである場合の例であった。その他、上述の実施形態は、釣銭ニアフルおよび釣銭フルである場合にも適用できる。釣銭ニアフルは、精算用ＰＯＳレジスタ２０の自動釣銭釣札機の貨幣の保有枚数が所定の上限以上となった状態である。釣銭フルは、精算用ＰＯＳレジスタ２０の自動釣銭釣札機の貨幣の現保有枚数がフル（満杯）なった状態である。
【００９９】
具体的に、例えば、情報取得部が釣銭ニアエンド、釣銭エンド、釣銭ニアフル、および釣銭フルを示すステータス情報を取得していない場合、表示制御部は、装置の状態を示すステータス情報を「黄色」の背景色により店員用表示部に表示させる。そして、例えば、情報取得部が釣銭ニアフルを示すステータス情報を取得した場合、表示制御部は、装置の状態を示すステータス情報を「薄青色」の背景色により店員用表示部に表示させる。また、例えば、情報取得部が釣銭フルを示すステータス情報を取得した場合、表示制御部は、装置の状態を示すステータス情報を「青色」の背景色により店員用表示部に表示させる。
【０１００】
なお、表示制御部は、情報取得部によって取得されたステータスが釣銭ニアエンドまたは釣銭ニアフルである場合の背景色を同一（例えば、橙色）とし、情報取得部によって取得されたステータスが釣銭エンドまたは釣銭フルである場合の背景色を同一（例えば、赤色）としてもよい。
【０１０１】
図１６は、登録用ＰＯＳレジスタ１０の商品登録部が商品の登録を開始する前に、情報取得部が釣銭の状態を示すステータス情報を取得した場合であって、警告情報受付部が警告情報の指定を受け付けた後、店員用表示部１０５に確認ボタンを表示させた例を示す図である。図１６は、精算装置ボタン５３１が押下されて精算用ＰＯＳレジスタ２０−１４（図１６では、精算装置１４と記載する。）が選択された状態を表している。そして、図１６は、釣銭ニアフルの警告情報を表しているステータス情報５３２が押下されたことにより、詳細情報５３３が表示され、更に、ＧＵＩボタンである確認ボタン５３４が表示された状態を表している。ステータス情報５３２は、待機状態を表している。また、ステータス情報５３２は、その背景色により警告情報を表している。釣銭ニアフルの警告である場合、実際には、例えば、ステータス情報の背景色が「薄青色」となる。詳細情報５３３は、選択された精算用ＰＯＳレジスタ２０−１４（精算装置１４）において、５０円の金種の硬貨が釣銭ニアフルとなっていることを表している。
【０１０２】
図１７は、釣銭ニアフル時に放出（出金）した貨幣の入金先を選択するための選択画面の一例である。登録用ＰＯＳレジスタ１０は、図１６に示した画面において確認ボタン５３４が押下された場合、当該精算用ＰＯＳレジスタ２０から出金した貨幣の入金先（収納先）を自動的に選択してもよいが、釣銭ニアエンドの場合と同様に、店員に入金先を選択させてもよい。例えば、登録用ＰＯＳレジスタ１０は、確認ボタン５３４が押下された場合、釣銭ニアフルの設定枚数を有する貨幣設定枚数テーブルおよび図９に示した現保有枚数テーブルに基づいて、図１７に示すような選択画面を表示させ、精算用ＰＯＳレジスタ２０−１４（精算機１４）から出金した貨幣の入金先を店員に選択させる。図１７に示す選択画面には、入金先の候補として事務所に対応するＧＵＩボタン、入金先の候補（入金可能な精算機）として精算用ＰＯＳレジスタ２０−１（精算機１）に対応するＧＵＩボタン、精算用ＰＯＳレジスタ２０−２（精算機２）に対応するＧＵＩボタン、精算用ＰＯＳレジスタ２０−１１（精算機１１）に対応するＧＵＩボタンが表示されている。店員は、画面上のＧＵＩボタンを押下して入金先を選択する。
【０１０３】
入金可能な精算用ＰＯＳレジスタ２０に該当するか否かの判断手法は、出金可能な精算用ＰＯＳレジスタ２０に該当するか否かの判断手法と同様である。図１７の例の場合、精算用ＰＯＳレジスタ２０−１４の釣銭ニアフルの金種は、５０円硬貨である。また、図８によれば、５０円硬貨の余剰金設定枚数は１２０枚である。したがって、図１６に示した画面において確認ボタン５３４が押下された場合、登録用ＰＯＳレジスタ１０は、５０円硬貨を１０５枚（＝１２０−（１５×１））以上保持していない、精算用ＰＯＳレジスタ２０−１、精算用ＰＯＳレジスタ２０−２、および精算用ＰＯＳレジスタ２０−１１を、入金可能な精算用ＰＯＳレジスタ２０であると判断する。
【０１０４】
図１７に示した選択画面において、店員は、精算用ＰＯＳレジスタ２０−１４から出金した貨幣の入金先として、精算用ＰＯＳレジスタ２０−１を選択するときにはＧＵＩボタン「Ｎｏ.１」を押下し、精算用ＰＯＳレジスタ２０−２を選択するときにはＧＵＩボタン「Ｎｏ.２」を押下し、精算用ＰＯＳレジスタ２０−１１を選択するときにはＧＵＩボタン「Ｎｏ.１１」を押下する。また、店員は、入金先として、事務所を選択するときには、ＧＵＩボタン「事務所金から補充する」を押下する。
【０１０５】
なお、図１７に示したように、入金可能な精算用ＰＯＳレジスタ２０が複数ある場合（精算用ＰＯＳレジスタ２０に対応するＧＵＩボタンを複数配置する場合）は、登録用ＰＯＳレジスタ１０は、レジ番号の昇順にＧＵＩボタンを表示させてもよいし、収納対象の金種の貨幣の保持枚数の昇順（少ない順）にＧＵＩボタンを表示させてもよい。すなわち、保持枚数（収納枚数）に応じた優先順位に従って精算用ＰＯＳレジスタ２０に対応するＧＵＩボタンを表示させてもよい。なお、収納対象の金種が複数ある場合には、いずれかの金種（例えば、収納対象の金種のうち額面の最も高い金種、収納枚数が最も多い金種）について、保持枚数の昇順にボタンを表示させてもよい。なお、図１７の選択画面において、店員が入金先を選択し（入金先のＧＵＩボタンを押下）し、所定の操作（例えば、終了ボタンの押下）を行うと、登録用ＰＯＳレジスタ１０は、釣銭ニアエンドのときと同様に確認画面を表示させる。その後の処理は、釣銭ニアエンドの場合と同様である。
【０１０６】
なお、釣銭ニアエンドのときの確認画面には、図１２に示したように、移動元（図１１において店員が選択した取得先）と、移動先（店員が指定した釣銭ニアエンドの精算用ＰＯＳレジスタ２０）とが表示されるが、釣銭ニアフルのときの確認画面には、例えば、移動元（店員が指定した釣銭ニアフルの精算用ＰＯＳレジスタ２０）と、移動先（図１７において店員が選択した入金先）とが表示される。
【０１０７】
図１８は、登録用ＰＯＳレジスタ１０の商品登録部が商品の登録を開始した後に、情報取得部が釣銭の状態を示すステータス情報を取得した場合であって、警告情報受付部が警告情報の指定を受け付けた後、店員用表示部１０５に送信ボタンを表示させた例を示す図である。図１８は、精算装置ボタン５４１が押下されて精算用ＰＯＳレジスタ２０−１４（図１８では、精算装置１４と記載する。）が選択された状態を表している。そして、図１８は、釣銭ニアフルの警告情報を表しているステータス情報５４２が押下されたことにより、詳細情報５４３が表示され、更に、ＧＵＩボタンである送信ボタン５４４および戻るボタン５４５が表示された状態を表している。詳細情報５４３は、選択された精算用ＰＯＳレジスタ２０−１４（精算装置１４）において、５０円の金種の貨幣が釣銭ニアフルとなっていることを表している。
【０１０８】
図１９は、警告情報の表示の別の例を示す図である。登録用ＰＯＳレジスタ１０の表示制御部は、情報取得部が取得したステータス情報に応じた警告情報として、記号、文字、もしくは図形、またはそれらの組み合わせを、精算装置ボタンに対応付けて店員用表示部１０５に表示させてもよい。図１９（ａ）は、精算装置ボタン６０１の直上にステータス情報の画像６０２を表示し、ステータス情報の画像６０２の中に釣銭ニアエンドを表す警告情報６０３（例えば、第１の背景色を有する￥マーク）を表示させた例である。また、図１９（ｂ）は、精算装置ボタン６０４の直上にステータス情報の画像６０５を表示し、ステータス情報の画像６０５の中に釣銭ニアフルを表す警告情報６０６（例えば、第２の背景色を有する￥マーク）を表示させた例である。警告情報として￥マークを用いることにより、釣銭に関する警告情報であることを店員に分からせることができる。また、その￥マークの背景色によって警告情報を表現することにより、釣銭ニアエンドまたは釣銭ニアフルを店員に分からせることができる。
【０１０９】
なお、登録用ＰＯＳレジスタ１０において、表示制御部は、警告情報や、ステータス情報を精算装置ボタンに重ねず、精算装置ボタンの周囲に配置させてもよい。このように、精算装置ボタンの周囲に表示させたり一部が重なるように表示させたりすることで、店員は、当該精算装置ボタンを押す前に、押そうとする精算装置のステータスや警告情報を知ることができるので、その精算装置を指定操作してしまうことを防ぐことができる。
【０１１０】
図２０は、警告情報の表示の別の例を示す図である。図２０は、精算装置ボタン６１１の一部分にステータス情報６１２の一部分を重ねて表示し、ステータス情報６１２の近傍に警告情報６１３を表示させた例である。警告情報６１３をＧＵＩボタンとしてもよい。この場合、警告情報６１３が押下されることにより、表示制御部は、釣銭の状態を示すステータス情報の詳細情報６１４（例えば、釣銭ニアエンドとなっている精算用ＰＯＳシステム２０を示す情報、釣銭ニアエンドとなっている金種等）を、店員用表示部１０５に表示させる。表示方法は、例えば、ポップアップ表示である。なお、詳細情報６１４をＧＵＩとし、この詳細情報６１４が押下されることによって、補充金の取得先を選択するための選択画面を表示させるようにしてもよい。
【０１１１】
また、登録用ＰＯＳレジスタ１０は、精算用ＰＯＳレジスタ２０−１〜２０−ｎの各印刷部２０９の紙媒体（例えば、ロール紙）がニアエンド（レシートニアエンド）となったか否かを示すレシート状態のステータス情報を精算用ＰＯＳレジスタ２０−１〜２０−ｎから取得してもよい。
【０１１２】
図２１は、警告情報の表示の別の例を示す図である。図２１（ａ）は、精算装置ボタン６２１の直上にステータス情報６２２を表示し、ステータス情報６２２の直上に釣銭ニアエンドを表す警告情報６２３（例えば、“ニアエンド”）を表示させた例である。図２１（ｂ）は、精算装置ボタン６２４の直上にステータス情報６２５を表示し、ステータス情報６２５の直上にレシートニアエンドを表す警告情報６２６（例えば、“レシート”）を表示させた例である。図２１（ｃ）は、精算装置ボタン６２７の直上にステータス情報６２８を表示し、ステータス情報６２８の直上に釣銭およびレシートまたはいずれかのニアエンドを表す警告情報６２３（例えば、“レシート・金”）を表示させた例である。
【０１１３】
図２２は、警告情報の表示の別の例を示す図である。図２２（ａ）は、精算装置ボタン６３１の直上にステータス情報６３２を表示し、ステータス情報６３２の直上に釣銭ニアエンドまたは釣銭ニアフルを表す警告情報６３３（例えば、￥を表す図形および“確認”）を表示させた例である。図２２（ｂ）は、精算装置ボタン６３４の直上にステータス情報６３５を表示し、ステータス情報６３５の直上にレシートニアエンドを表す警告情報６３６（例えば、ロール紙を表す図形および“補充”）を表示させた例である。
【０１１４】
なお、登録用ＰＯＳレジスタ１０は、精算装置ボタン、ステータス情報、および警告情報を、商品登録画面や小計画面において表示させてもよい。
図２３は、精算装置ボタン、ステータス情報、および警告情報の店員用表示部１０５の表示例である。図２３（ａ）は、店員用表示部１０５の商品登録画面に精算装置ボタン７０１およびステータス情報７０２が表示された例である。警告情報は、ステータス情報７０２の背景色によって識別される。図２３（ｂ）は、店員用表示部１０５の小計画面に精算装置ボタン７０３およびステータス情報７０４が表示された例である。警告情報は、ステータス情報７０４の背景色によって識別される。
【０１１５】
以上、詳述したように、登録用ＰＯＳレジスタ１０は、顧客の購入対象の商品を登録する商品登録部と、店員用表示部１０５と、商品の登録データに基づいて精算する精算用ＰＯＳレジスタ２０を示す精算装置ボタンを店員用表示部１０５に表示させるとともに、店員用表示部１０５に表示された精算装置ボタンに対する操作による精算用ＰＯＳレジスタ２０の指定を受け付ける指定部と、指定部によって指定された精算用ＰＯＳレジスタ２０から、所定の状態を示すステータス情報を取得する情報取得部と、情報取得部が取得したステータス情報に応じた警告情報を、精算装置ボタンに対応付けて店員用表示部１０５に表示させる表示制御部と、を備える。
【０１１６】
この構成により、登録用ＰＯＳレジスタ１０は、指定された精算用ＰＯＳレジスタ２０から取得したステータス情報に応じた警告情報を、登録用ＰＯＳレジスタ１０の店員用表示部１０５に表示させる。したがって、精算用ＰＯＳレジスタ２０の状態を、商品登録を行う登録者（例えば、店員）に適切に知らせることができる。店員用表示部１０５に表示される警告情報は、例えば、釣銭ニアエンド、釣銭エンド、釣銭ニアフル、釣銭フル、レシートニアエンド等の警告を表す。なお、警告情報は、装置の状態を表してもよい。具体的に、例えば、警告情報は、精算用ＰＯＳレジスタ２０が精算用レシートを読み込んでから一定時間経過後の警告状態を表してもよい。
【０１１７】
なお、登録用ＰＯＳレジスタ１０において、店員用表示部１０５に表示された警告情報に対する操作による警告情報を受け付ける警告情報受付部、を更に備え、表示制御部は、警告情報受付部が受け付けた警告情報に関する関連情報を店員用表示部１０５に表示させてもよい。
この構成により、商品の登録者である店員は、注目した警告情報を操作することによって、警告情報に関する関連情報（詳細情報）、例えば、ステータスの詳細情報を見ることができる。
【０１１８】
また、登録用ＰＯＳレジスタ１０において、警告情報受付部が警告情報を受け付けた後、商品登録部が登録した商品の登録データを送信させるための送信ボタンを店員用表示部１０５に表示させるとともに、店員用表示部１０５に表示された送信ボタンに対する操作により、登録データを指定部により指定された精算用ＰＯＳレジスタ２０に送信する送信制御部、を更に備えてもよい。
この構成により、商品の登録者である店員は、ステータス情報の関連情報を確認したうえで、商品の登録データを精算用ＰＯＳレジスタ２０に送信するか否かを判断することができる。
【０１１９】
また、登録用ＰＯＳレジスタ１０において、送信制御部は、一取引として登録された商品の登録データが確定された画面に送信ボタンを表示させてもよい。
この構成により、登録用ＰＯＳレジスタ１０がある顧客の取引に係る商品登録を開始した後、自動釣銭釣札機２１１が釣銭ニアエンドになった場合でも、登録用ＰＯＳレジスタ１０は、当該顧客の取引に関する登録データを精算用ＰＯＳレジスタ２０に送信することができる。すなわち、一旦、商品登録処理が始まった後に釣銭ニアエンドのステータスになった場合には、釣銭ニアエンドである釣銭の保有枚数が若干でもあるため、当該顧客の取引は中断せずに進められることとなる。つまり、一取引として登録された商品が一旦確定された状態で、エラー（例えば、釣銭ニアエンド）の表示とともに送信キーが表示されることで、とりあえず、目の前の顧客だけは精算をさせるようにして、直前までに行った登録操作を無駄にすることなく、迅速に顧客を精算へと導くことができる。そして、次の顧客については、精算用ＰＯＳレジスタ２０における金銭の過不足を処理してから、商品の登録処理を開始することができる。
【０１２０】
また、登録用ＰＯＳレジスタ１０において、警告情報受付部が受け付けた警告情報が貨幣のエンドもしくは貨幣のフル、またはレシートのエンドを示す場合、送信制御部は、登録データの送信の動作を禁止するようにしてもよい。
この構成により、自動釣銭釣札機２１１で釣銭エンドもしくは貨幣のフル、またはレシートのエンドが発生した場合には、登録用ＰＯＳレジスタ１０から精算用ＰＯＳレジスタ２０への商品の登録データの転送が実行されない。よって、精算用ＰＯＳレジスタ２０において、釣銭切れやレシート切れにより精算が完了しないという障害が回避される。
【０１２１】
また、登録用ＰＯＳレジスタ１０において、商品登録部が商品の登録を開始する前に、情報取得部が前記ステータス情報を取得した場合であって、警告情報受付部が警告情報の指定を受け付けた後、貨幣を出金または入金させることを示す指示情報を出力する出力部を更に備えてもよい。
この構成により、スムーズな釣銭の補充を行うことができる。
【０１２２】
また、登録用ＰＯＳレジスタ１０において、表示制御部は、警告情報の少なくとも一部分を精算装置ボタンに重ねて店員用表示部に表示させてもよい。
この構成により、例えば、プリセットボタンが２段に渡って表示させている場合の下段に精算装置ボタンが配設されている場合においても、上段のプリセットボタンを見易くしつつ、精算装置ボタンに対応した警告情報を見易く表示させることができる。
【０１２３】
また、登録用ＰＯＳレジスタ１０において、店員表表示部１０５に表示させるステータス情報および警告情報を、顧客用表示部１０６にも表示させてもよい。
【０１２４】
なお、上述した実施形態である登録用ＰＯＳレジスタ１０の一部の機能をコンピュータで実現するようにしてもよい。この場合、その機能を実現するためのプログラムをコンピュータ読み取り可能な記録媒体に記録し、この記録媒体に記録されたプログラムをコンピュータシステムに読み込ませて、このコンピュータシステムが実行することにより、当該機能を実現してもよい。なお、このコンピュータシステムとは、オペレーティングシステム（Ｏｐｅｒａｔｉｎｇ  Ｓｙｓｔｅｍ；ＯＳ）や周辺装置のハードウェアを含むものである。また、コンピュータ読み取り可能な記録媒体とは、フレキシブルディスク、光磁気ディスク、光ディスク、メモリカード等の可搬型記録媒体、コンピュータシステムに備えられる磁気ハードディスクやソリッドステートドライブ等の記憶装置のことをいう。さらに、コンピュータ読み取り可能な記録媒体とは、インターネット等のコンピュータネットワーク、および電話回線や携帯電話網を介してプログラムを送信する場合の通信回線のように、短時間の間、動的にプログラムを保持するもの、さらには、その場合のサーバ装置やクライアントとなるコンピュータシステム内部の揮発性メモリのように、一定時間プログラムを保持するものを含んでもよい。また上記のプログラムは、前述した機能の一部を実現するためのものであってもよく、さらに、前述した機能をコンピュータシステムにすでに記録されているプログラムとの組み合わせにより実現するものであってもよい。
【０１２５】
以上、本発明の実施の形態について図面を参照して詳述したが、具体的な構成はその実施形態に限られるものではなく、本発明の要旨を逸脱しない範囲の設計等も含まれる。
【符号の説明】
【０１２６】
１…ＰＯＳシステム、１０…登録用ＰＯＳレジスタ、２０−１〜２０−ｎ…精算用ＰＯＳレジスタ、４０…ストアコントローラ、５０…ネットワーク、１０１…ＣＰＵ、１０２…ＲＯＭ、１０３…ＲＡＭ、１０４…スキャナ、１０５…店員用表示部、１０６…顧客用表示部、１０７…操作部、１０８…通信部、１０９…ブザー、１１０…印刷部、２０１…ＣＰＵ、２０２…ＲＯＭ、２０３…ＲＡＭ、２０４…スキャナ、２０５…表示部、２０６…操作部、２０７…通信部、２０８…ブザー、２０９…印刷部、２１０…決済部、２１１…自動釣銭釣札機、２１２…サインポール、２１３…人感知センサ
【図１】
0005983688.tif 000002
【図２】
0005983688.tif 000003
【図３】
0005983688.tif 000004
【図４】
0005983688.tif 000005
【図５】
0005983688.tif 000006
【図６】
0005983688.tif 000007
【図７】
0005983688.tif 000008
【図８】
0005983688.tif 000009
【図９】
0005983688.tif 000010
【図１０】
0005983688.tif 000011
【図１１】
0005983688.tif 000012
【図１２】
0005983688.tif 000013
【図１３】
0005983688.tif 000014
【図１４】
0005983688.tif 000015
【図１５】
0005983688.tif 000016
【図１６】
0005983688.tif 000017
【図１７】
0005983688.tif 000018
【図１８】
0005983688.tif 000019
【図１９】
0005983688.tif 000020
【図２０】
0005983688.tif 000021
【図２１】
0005983688.tif 000022
【図２２】
0005983688.tif 000023
【図２３】
0005983688.tif 000024